(57)【要約】【課題】ユニット内の水の水位にかかわらずミストを外部へ安定して放散することができる電解水ミスト発生ユニットを提供すること。【解決手段】ミスト漂流室４７は、貯水室４９に所定水位３９（好ましくは、想定し得る最高水位３９Ａ）まで溜められた水の水面上方に確保されている。そして、外部へ放散されるミストが通過するミスト出口４５Ａは、ミスト漂流室４７の天面に開口している。そのため、貯水室４９に溜められた水の水位が上昇しても、ミスト出口４５Ａが水によって塞がれることを防止することができるので、電解水ミスト発生ユニット３０では、貯水室４９内の水の水位にかかわらずミストを外部へ安定して放散することができる。【選択図】図１２
2009058160.tif 000002
【特許請求の範囲】
【請求項１】
空気清浄機に装着され、清浄化された空気によってミストを放散する電解水ミスト発生ユニットであって、
所定水位まで水を溜めるための貯水室と、
前記貯水室の上部に配置され、貯水室に所定水位の水が溜まった状態を保つように、貯水室へ水を供給するためのタンクと、
前記貯水室の水を電気分解して電解水とするための少なくとも一対の電極板と、
前記貯水室の底面に配置され、貯水室の水からミストを発生させるための超音波振動子と、
前記貯水室に溜められた所定水位の水の水面上方に空間を確保するように形成され、貯水室の水から生じるミストが漂うミスト漂流室と、
一端開口および他端開口を有し、一端開口は清浄化された空気の供給口に対向され、他端開口は前記ミスト漂流室の空間に臨んでいて、前記供給口から供給される清浄化された空気を前記ミスト漂流室へ導入するための空気導入路と、
前記ミスト漂流室の天面に開口しており、前記空気導入路から導入される空気によりミストが押し出される出口と、
を含むことを特徴とする空気清浄機用電解水ミスト発生ユニット。
【請求項２】
前記ミスト漂流室は、予め定める容積の空間を有することを特徴とする、請求項１記載の空気清浄機用電解水ミスト発生ユニット。
【請求項３】
前記ミスト漂流室は、超音波振動子上の水面から予め定める寸法上方に天面の一部を有し、その一部の天面には金属板が設けられていることを特徴とする、請求項１または２記載の空気清浄機用電解水ミスト発生ユニット。
【請求項４】
前記出口には、前記タンクの側面に沿って上方へ延びるミスト誘導路が連通されていることを特徴とする、請求項１〜３のいずれかに記載の空気清浄機用電解水ミスト発生ユニット。
【請求項５】
前記ミスト誘導路の上端には、ミスト放散口が開口されており、
前記ミスト放散口の内方には、放散されるミストの流速を増加させるために、前記ミスト誘導路内を流れる空気の通過流量を絞るためのリブが設けられていることを特徴とする、請求項４記載の空気清浄機用電解水ミスト発生ユニット。
【請求項６】
前記貯水室の中央部に、前記タンクからの水供給口が形成されており、前記貯水室は、水供給口の一方側に設けられた前記電極板が備えられた電解室としての第１貯水室と、水供給口の他方側に設けられた前記超音波振動子が備えられたミスト発生室としての第２貯水室とを有することを特徴とする、請求項１〜５のいずれかに記載の空気清浄機用電解水ミスト発生ユニット。
【請求項７】
前記タンクは、開口を有するタンク本体と、タンク本体の開口に対して着脱可能なキャップとを含み、
前記キャップは、前記開口を下に向けてタンク本体がセットされたときに、前記貯水室に備えられた突出ピンで押し上げられて開口を開く開閉機構と、前記開閉機構の周囲に形成され、開口から落下する水の落下通路とを有し、
前記落下通路の容積が、下方で増加するのを制限する仕切りが設けられていることを特徴とする、請求項６記載の空気清浄機用電解水ミスト発生ユニット。
【請求項８】
前記空気導入路の一端開口は、前記空気導入路の通路断面積に比べて断面積が大きくされていることを特徴とする、請求項１記載の空気清浄機用電解水ミスト発生ユニット。
【請求項９】
前記ミスト誘導路に関連して、清浄化された空気が前記ミスト誘導路の外周に沿って前記ミスト放散口周囲から放散方向へ流れる補助空気流路が備えられていることを特徴とする、請求項５記載の空気清浄機用電解水ミスト発生ユニット。
【発明の詳細な説明】
【技術分野】
【０００１】
この発明は、空気清浄機に装着され、清浄化された空気によってミストを放散する電解水ミスト発生ユニットに関する。
【背景技術】
【０００２】
空気を取り込み、この空気を清浄化して機外へ放出する空気清浄機が知られている。機内へ取り込まれた空気は、たとえばフィルタを通過することによって、空気中に含まれる塵埃等が除去される。そして、電解水ミスト発生装置が装着された空気清浄機が提案されている（特許文献１参照）。電解水ミスト発生装置は、内部に溜めた水道水等を電気分解することで電解水を生成し、その電解水からミスト（電解水ミスト）を発生させ、空気清浄機で清浄化された空気にミストを乗せて外部へ放散する。これにより、ミストによって空気を殺菌したり脱臭したりすることができる。
【特許文献１】特開２００７−３７５８９号公報
【発明の開示】
【発明が解決しようとする課題】
【０００３】
特許文献１に開示されている電解水ミスト発生装置には、発生させたミストを一時的に溜めるミスト漂流室が設けられている。ミスト漂流室には、清浄化された空気が取り込まれる上端開口と、この空気がミストとともに流れ出るミスト出口とが設けられている。
しかしながら、ミスト出口は、ミスト漂流室において比較的低い位置に配置されているので、空気清浄機が傾く等によって電解水ミスト発生装置内の水の水位が上昇した場合には、この水によってミスト出口が塞がれる虞がある。その場合、ミスト漂流室内のミストを外部へ安定して放散できないという不具合が生じる。
【０００４】
この発明は、かかる背景のもとになされたもので、ユニット内の水の水位にかかわらずミストを外部へ安定して放散することができる電解水ミスト発生ユニットを提供することを主たる目的とする。
この発明は、また、破損を防止することができる電解水ミスト発生ユニットを提供することを他の目的とする。
【０００５】
この発明は、また、電解水ミストを良好に発生させることができる電解水ミスト発生ユニットを提供することを他の目的とする。
この発明は、さらに、電解水ミストを良好に拡散することができる電解水ミスト発生ユニットを提供することを他の目的とする。
【課題を解決するための手段】
【０００６】
請求項１記載の発明は、空気清浄機に装着され、清浄化された空気によってミストを放散する電解水ミスト発生ユニットであって、所定水位まで水を溜めるための貯水室と、前記貯水室の上部に配置され、貯水室に所定水位の水が溜まった状態を保つように、貯水室へ水を供給するためのタンクと、前記貯水室の水を電気分解して電解水とするための少なくとも一対の電極板と、前記貯水室の底面に配置され、貯水室の水からミストを発生させるための超音波振動子と、前記貯水室に溜められた所定水位の水の水面上方に空間を確保するように形成され、貯水室の水から生じるミストが漂うミスト漂流室と、一端開口および他端開口を有し、一端開口は清浄化された空気の供給口に対向され、他端開口は前記ミスト漂流室の空間に臨んでいて、前記供給口から供給される清浄化された空気を前記ミスト漂流室へ導入するための空気導入路と、前記ミスト漂流室の天面に開口しており、前記空気導入路から導入される空気によりミストが押し出される出口と、を含むことを特徴とする空気清浄機用電解水ミスト発生ユニットである。
【０００７】
請求項２記載の発明は、前記ミスト漂流室は、予め定める容積の空間を有することを特徴とする、請求項１記載の空気清浄機用電解水ミスト発生ユニットである。
請求項３記載の発明は、前記ミスト漂流室は、超音波振動子上の水面から予め定める寸法上方に天面の一部を有し、その一部の天面には金属板が設けられていることを特徴とする、請求項１または２記載の空気清浄機用電解水ミスト発生ユニットである。
【０００８】
請求項４記載の発明は、前記出口には、前記タンクの側面に沿って上方へ延びるミスト誘導路が連通されていることを特徴とする、請求項１〜３のいずれかに記載の空気清浄機用電解水ミスト発生ユニットである。
請求項５記載の発明は、前記ミスト誘導路の上端には、ミスト放散口が開口されており、前記ミスト放散口の内方には、放散されるミストの流速を増加させるために、前記ミスト誘導路内を流れる空気の通過流量を絞るためのリブが設けられていることを特徴とする、請求項４記載の空気清浄機用電解水ミスト発生ユニットである。
【０００９】
請求項６記載の発明は、前記貯水室の中央部に、前記タンクからの水供給口が形成されており、前記貯水室は、水供給口の一方側に設けられた前記電極板が備えられた電解室としての第１貯水室と、水供給口の他方側に設けられた前記超音波振動子が備えられたミスト発生室としての第２貯水室とを有することを特徴とする、請求項１〜５のいずれかに記載の空気清浄機用電解水ミスト発生ユニットである。
【００１０】
請求項７記載の発明は、前記タンクは、開口を有するタンク本体と、タンク本体の開口に対して着脱可能なキャップとを含み、前記キャップは、前記開口を下に向けてタンク本体がセットされたときに、前記貯水室に備えられた突出ピンで押し上げられて開口を開く開閉機構と、前記開閉機構の周囲に形成され、開口から落下する水の落下通路とを有し、前記落下通路の容積が、下方で増加するのを制限する仕切りが設けられていることを特徴とする、請求項６記載の空気清浄機用電解水ミスト発生ユニットである。
【００１１】
請求項８記載の発明は、前記空気導入路の一端開口は、前記空気導入路の通路断面積に比べて断面積が大きくされていることを特徴とする、請求項１記載の空気清浄機用電解水ミスト発生ユニットである。
請求項９記載の発明は、前記ミスト誘導路に関連して、清浄化された空気が前記ミスト誘導路の外周に沿って前記ミスト放散口周囲から放散方向へ流れる補助空気流路が備えられていることを特徴とする、請求項５記載の空気清浄機用電解水ミスト発生ユニットである。
【発明の効果】
【００１２】
請求項１記載の発明によれば、この電解水ミスト発生ユニットでは、タンクから下向きに供給されて貯水室に溜められた水が、電極板によって電気分解されて電解水となり、この電解水を超音波振動子によって振動させることによって、電解水ミストを発生させることができる。発生した電解水ミスト（以下、単に「ミスト」と呼ぶことがある。）は、ミスト漂流室に溜められから、空気導入路の他端開口からミスト漂流室に導入された空気に押されて、ミスト漂流室の出口から外部へ放散される。
【００１３】
ここで、ミスト漂流室は、貯水室に所定水位溜められた水の水面上方に確保されており、さらに、外部へ放散されるミストが通過する出口は、ミスト漂流室の天面に開口している。そのため、貯水室に溜められた水の水位が上昇しても、出口が水によって塞がれることを防止することができるので、貯水室内の水の水位にかかわらずミストを外部へ安定して放散することができる。
【００１４】
請求項２記載の発明によれば、ミスト漂流室は、予め定める容積の空間を有しているので、貯水室に所定水位溜められた水の水面上方に確実に確保される。そのため、貯水室に溜められた水の水位が上昇しても、ミスト漂流室の出口が水によって塞がれることを確実に防止することができる。また、ミストを比較的多量に発生させることができる。さらに、ミスト漂流室の天面と水面との間を十分に隔てることができるので、超音波振動子の振動によって貯水室の水がミスト漂流室の天面まで跳ね上がってミスト漂流室の天面に当たるのを抑制することができ、天面が超音波エネルギーにより破損することを抑制することができる。
【００１５】
請求項３記載の発明によれば、ミスト漂流室の天面の一部に設けられた金属板と超音波振動子とが上下方向に対向するので、超音波振動子の振動によって貯水室の水がミスト漂流室の天面に跳ね上がっても、この水は金属板によって受け止められる。そのため、跳ね上がった水がミスト漂流室の天面に直接当たってこの天面が水の有する超音波エネルギーにより破損することを防止でき、また、跳ね上がった水が金属板に当たることで、粒子の細かい（空気の殺菌・脱臭効果の高い）ミストを発生させることができる。
【００１６】
請求項４記載の発明によれば、ミスト誘導路がタンクの側面に沿って配置されているので、電解水ミスト発生ユニットの小型化を図ることができる。また、ミスト誘導路は、ミスト漂流室の天面に設けられた出口から連続して上方に延びているので、ミスト誘導路の途中でミストが滞留することを防止し、ミストを外部へ勢いよく放散することができる。
請求項５記載の発明によれば、ミスト放散口の内方に設けられたリブによって、ミスト誘導路内を流れる空気の流速が増加するので、この空気に運ばれるミストをミスト放散口から外部へ勢いよく放散することができる。また、このリブによって、コインなどの異物がミスト放散口からミスト誘導路内に侵入することを防止することができる。
【００１７】
請求項６記載の発明によれば、貯水室では、電解室としての第１貯水室と、ミスト発生室としての第２貯水室とが、水供給口を挟んで隔てられている。そのため、水供給口を介して貯水室に供給されたタンクの水を、第１貯水室で確実に電気分解して第２貯水室に供給することができる。つまり、電解水ミストを確実に安定して発生させることができる。
請求項７記載の発明によれば、タンクが貯水室にセットされると、開閉機構が突出ピンで押し上げられることによってタンク本体の開口を開くので、落下通路を介して、貯水室にタンク本体の水を供給することができる。そして、貯水室の水位がキャップまで上昇すると、タンク本体から貯水室への給水が停止される。このとき、落下通路には水が充満している。一方、タンクを貯水室から取り外すときには、突出ピンによる開閉機構の押し上げが解除されることでタンク本体の開口が閉じられるので、開口から水が漏れることはない。
【００１８】
ここで、タンクを貯水室から取り外すと、上述した落下通路に溜まっていた水が貯水室に落下するので、タンクが貯水室にセットされていたときに比べて、貯水室の水位が上昇する。そのため、タンクの貯水室へのセットおよび貯水室からの取り出しを交互に何度も繰り返すと、貯水室の水位が必要以上に上昇する虞がある。そして、最悪のケースでは、貯水室内の水が電解水ミスト発生ユニット外へこぼれてしまうことがある。しかし、仕切りによって、落下通路の容積が下方で増加するのが制限されるので、落下通路に溜まる水の量を低減できる。そのため、タンクのセットおよび取り出しを繰り返しても、貯水室の水位上昇を最低限に抑えることができる。
【００１９】
請求項８記載の発明によれば、空気導入路の一端開口は、空気導入路の通路断面積に比べて断面積が大きくされている。そのため、この空気導入路は、一端開口において、供給口から比較的多量の空気を取り込み、他端開口において、この空気を比較的高い流速でミスト漂流室へ導入することができる。これにより、ミスト漂流室内の多量のミストをこの空気に乗せて外部へ勢いよく放散することができる。
【００２０】
請求項９記載の発明によれば、ミスト誘導路を流れるミストは、補助空気流路を経てミスト放散口周囲から放散方向へ流れる空気が壁となることによって、ミスト放散口周囲の環境の影響を受けにくくなる。そのため、このミストを、ミスト放散口周辺で結露を生じさせることなく、ミスト放散口から外部へ勢いよく放散することができる。
【発明を実施するための最良の形態】
【００２１】
以下には、図面を参照して、この発明の一実施形態としての空気清浄機について具体的に説明する。
＜空気清浄機の全体構成＞
図１は、正面右上側から見た空気清浄機１の斜視図であって、正面装飾パネル５を前側へずらして配置した状態を示す。図２は、空気清浄機１のほぼ中央の縦断面図である。図３は、図２のＡ−Ａ線に基づく断面図である。図４は、図２のＢ−Ｂ線に基づく断面図である。図５は、図２のＣ−Ｃ線に基づく断面図であって、（ａ）は、第１の形態を示し、（ｂ）は、第２の形態を示す。図６は、ガイドリブ２４の形状であって、（ａ）は、図５（ａ）で示す第１の形態で用いられる形状を示し、（ｂ）は、図５（ｂ）で示す第２の形態で用いられる形状を示す。
【００２２】
まず、空気清浄機１の姿勢に関し、図２において、紙面上下方向を上下方向（高さ方向）とし、紙面左右方向を前後方向とし、紙面厚さ方向を左右方向（幅方向）とする。このような方向の定義は、他の図においても適用される。
図１に示すように、空気清浄機１の本体ケース２は、縦長かつ前後方向に薄い略直方体形状である。本体ケース２は、リアケース３とメインフレーム４と正面装飾パネル５とによって、その外郭が形成されている。リアケース３は、本体ケース２において、底面と、後面と、左右側面の後部と上面の後部とを形成している。メインフレーム４は、リアケース３の前側に隣接配置されており、本体ケース２において、左右側面の前部と上面の前部とを形成している。メインフレーム４は、リアケース３よりも縦長である。正面装飾パネル５は、メインフレーム４の前面を前側から覆っており、本体ケース２において、前面を形成している。
【００２３】
図２に示すように、本体ケース２内は、上下左右方向に延びる仕切板６によって、前後に区画されている。本体ケース２内において、仕切板６で区画された後方の空間（後方空間２５という。）には、送風機７（送風手段）が配設される。送風機７は、モータ８と、モータ８により回転駆動されるシロッコファン９とを含んでいる。モータ８は、仕切板６に取り付けられている。仕切板６のモータ８の周囲には仕切板６の前後を連通させる多数の連通孔１０が形成されている。
【００２４】
本体ケース２内において、仕切板６で区画された前方の空間（前方空間２６という。）には、フィルタ１１（空気清浄化手段）が配設されている。フィルタ１１は、目の粗いプレフィルタ１２と、細かい塵埃を捕獲するメインフィルタ１３と、臭い成分を吸着するゼオライト等の活性炭粒子よりなる脱臭フィルタ１４とを含み、風上側から、プレフィルタ１２、メインフィルタ１３、脱臭フィルタ１４の順に配置されている。プレフィルタ１２は上下方向に長手の矩形状である薄い網状フィルタで、空気中に含まれる比較的大きな塵挨を捕獲するためのものである。メインフィルタ１３は、たとえば不織布がプリーツ状に折り畳まれた構成を有しており、空気中の非常に細かな塵挨、たとえば花粉やたばこの煙の粒子等まで捕獲可能なフィルタである。フィルタ１１の詳細については、後述する。
【００２５】
図３に示すように、本体ケース２の左右側面の前部（メインフレーム４の左右側面）には、吸気口１５（入口）がそれぞれ設けられている。吸気口１５には、格子状のルーバー１６が取り付けられている。吸気口１５は、プレフィルタ１２と正面装飾パネル５の間の空間、つまりフィルタ１１の風上側と連通している。
後方空間２５には、送風機７が配設されると共に、シロッコファン９を囲むファンケーシング１７が形成されている。ファンケーシング１７は、メインフレーム４と一体に形成されて上下左右方向に延びる区画板４Ａによって、前後に区画されている。つまり、区画板４Ａは、シロッコファン９の各翼９Ａを軸方向（前後方向）に二分するようにファンケーシング１７を前後に区画している。
【００２６】
図２および図４に示すように、区画板４Ａで区画されたファンケーシング１７の前側部分である前側ファンケーシング１７Ａは、区画板４Ａから前側へ突設された正面視渦巻状のリブ４Ｂと、仕切板６と区画板４Ａとによって形成されている。図４に示すように、前側ファンケーシング１７Ａの左右両端には、第１吐出口１８がそれぞれ形成されている。左右の第１吐出口１８は、リアケース３の左右側面に開口された第１放出口１９にそれぞれ接続されている。各第１放出口１９には、格子状の第１エアガイド２０が装着されている。
【００２７】
区画板４Ａで区画されたファンケーシング１７の後側部分である後側ファンケーシング１７Ｂ（通風路）は、図５（ａ）に示すように、リアケース３から前側へ突設された正面視略ｂ字形状のリブ３Ｂと、区画板４Ａ（図３参照）とリアケース３の後側壁とによって形成されている。後側ファンケーシング１７Ｂの上端には、第２吐出口２１が設けられている。この第２吐出口２１は、リアケース３の上面に開口された第２放出口２２（出口）に接続されている。第２放出口２２には、リアケース３と一体に形成された格子状の第２エアガイド２３が配備されている。
【００２８】
このような空気清浄機１において、送風機７を駆動すると、図３の実線矢印で示すように、外気が、回転するシロッコファン９によって、左右の吸気口１５より本体ケース２内の前方空間２６に吸引され、プレフィルタ１２、メインフィルタ１３、脱臭フィルタ１４を通過することで塵埃や臭い成分が除去されて清浄化される。清浄化された空気（以下では単に「空気」ということがある。）は、回転するシロッコファン９によって、連通孔１０を通って後方空間２５のファンケーシング１７へ導かれる。
【００２９】
ファンケーシング１７において前側ファンケーシング１７Ａへ導かれた空気は、図３および図４で破線矢印に示すように、回転するシロッコファン９によって、左右の第１吐出口１８より第１エアガイド２０、第１放出口１９を介して本体ケース２の左右両側面より外部へ放出される。このように、前側ファンケーシング１７Ａは、前側ファンケーシング１７Ａへ導かれた空気を第１放出口１９へ導くための通風路としての機能を有している。
【００３０】
一方、ファンケーシング１７において後側ファンケーシング１７Ｂへ導かれた空気は、図２および図５の破線矢印で示すように、回転するシロッコファン９によって、上方にある第２吐出口２１、第２エアガイド２３、第２放出口２２を介して、本体ケース２の上面より外部へ放出される。このように、後側ファンケーシング１７Ｂは、後側ファンケーシング１７Ｂへ導かれた空気を第２放出口２２へ導くための通風路としての機能を有している。
【００３１】
このように、清浄化された空気は、本体ケース２の左右両側面と上面の３方向から放出しているので、室内の隅々まで良好に行き渡り、室内全体を万遍なく浄化できる。
以下には、空気清浄機１における各要素について説明する。
＜ガイドリブ＞
図２に示すように、区画板４Ａの上方には前側へ突出する管（空気誘導管５６という。）が設けられている。空気誘導管５６の内部は、区画板４Ａの後方の後側ファンケーシング１７Ｂに連通している。そして、空気誘導管５６の前端には、空気誘導管５６内部に連通する開口（供給口としての通気口５７という。）が形成されている。通気口５７は、後述する電解水ミスト発生ユニット３０の一端開口４２Ｂに対向している。
【００３２】
図５（ａ）に示すように、後側ファンケーシング１７Ｂの左端には、第２吐出口２１の近傍において、リアケース３から前側に突出するガイドリブ２４が設けられている。ガイドリブ２４は、後側ファンケーシング１７Ｂ内を流れる空気の流れ方向にほぼ沿って延びており、幅方向から見ると、Ｉ字形状つまり上下方向に長手の矩形板状である（図６（ａ）参照）。ガイドリブ２４は、後側ファンケーシング１７Ｂにおいて、空気の流れ方向における下流側領域を、通気口５７（空気誘導管５６）側と、第２吐出口２１側とに完全に区切っている。そのため、後側ファンケーシング１７Ｂ内を図５（ａ）の破線矢印に沿って第２放出口２２へ向かって流れようとする空気の一部は、ガイドリブ２４によって、第２放出口２２でなく、通気口５７（電解水ミスト発生ユニット３０）側へ分流される（図５（ａ）の１点鎖線矢印参照）。ガイドリブ２４の上下方向長さは、後側ファンケーシング１７Ｂ内を流れる空気をどれだけ通気口５７側へ分流させるかに応じて、適宜設定される。Ｉ字形状のガイドリブ２４を採用すると、通気口５７側へ確実に一定量の風量を供給でき、後述する電解水ミスト発生ユニット３０を適切に機能させることができる。
【００３３】
なお、ガイドリブ２４の形状は、図６（ａ）に示したＩ字形状以外に、図６（ｂ）に示すＬ字形状であってもよい。つまり、図６（ｂ）に示すガイドリブ２４は、後側ファンケーシング１７Ｂ内の空気の流れ方向における上流側において、一部が切り欠かかれている。図５（ｂ）を参照して、Ｌ字形状のガイドリブ２４は、空気の流れ方向に見て、その下流側において、後側ファンケーシング１７Ｂの下流側領域を、通気口５７側と第２吐出口２１側とに完全に区切っている。その一方で、Ｌ字形状のガイドリブ２４は、その上流側において、後側ファンケーシング１７Ｂの下流側領域を、通気口５７側と第２吐出口２１側とに部分的に区切っている。そのため、Ｌ字形状のガイドリブ２４の上流側では、通気口５７側へ流れる空気の一部が、上述したガイドリブ２４の切欠き部分（図６（ｂ）の符号２４Ａ参照）を経由して、第２吐出口２１（第２放出口２２）側に戻り得る（図５（ｂ）の２点鎖線矢印参照）。Ｌ字形状のガイドリブ２４を採用すると、通気口５７側へ供給される空気が多量すぎる場合に、その一部は、第２吐出口２１へ戻るので、各経路への空気流量をより良好に調整できる。
＜フィルタ＞
図７は、正面右上側から見たフィルタ１１の分解斜視図であって、プレフィルタ１２およびフィルタホルダ１１Ａのみを示す。
【００３４】
図１を参照して、本体ケース２から正面装飾パネル５を取り外すことによって、フィルタ１１のメンテナンスを行うことができる。図７に示すように、フィルタ１１は、前面が全域に亘って開口された縦長で前後方向に薄いボックス形状のフィルタホルダ１１Ａを含んでおり、上述したメインフィルタ１３および脱臭フィルタ１４（図２参照）は、フィルタホルダ１１Ａ内に収容される。そして、フィルタホルダ１１Ａには、プレフィルタ１２が、前側から着脱可能に装着される。
【００３５】
ここで、フィルタホルダ１１Ａの前側開口を区画する周縁には、その上側端部に、左右方向に間隔を隔てて２つの係合部（第１係合部１１Ｂという。）が形成され、その左右両側端部の下側位置にも係合部（第２係合部１１Ｃという。）が１つずつ形成されている。第１係合部１１Ｂおよび第２係合部１１Ｃは、前側に突出しており、それぞれの略中央位置には穴が形成されている。そして、プレフィルタ１２には、その上側端部に、上向きに突出する２つの突起（第１突起１２Ａという。）が左右方向に間隔を隔てて形成されており、その左右両側端部の下側位置には、幅方向外側へ突出する突起（第２突起１２Ｂという。）が１つずつ形成されている。また、プレフィルタ１２において、各第２突起１２Ｂの近傍には、前側へ突出するリブ（取手１２Ｃという。）が設けられている。後述するが、第１突起１２Ａ、第２突起１２Ｂおよび取手１２Ｃは、プレフィルタ１２の網目部分とは別の部品である。
【００３６】
取手１２Ｃを掴んでプレフィルタ１２を移動させ、第１突起１２Ａを対応する第１係合部１１Ｂの穴に嵌め込んでから、プレフィルタ１２を第１突起１２Ａ回りに後側へ揺動させ、第２突起１２Ｂを対応する第２係合部１１Ｃの穴に嵌め込むと、プレフィルタ１２がフィルタホルダ１１Ａに装着される。一方、プレフィルタ１２がフィルタホルダ１１Ａに装着された状態において、取手１２Ｃを掴んで正面側へ引き出すと、まず第２突起１２Ｂが第２係合部１１Ｃの穴から外れる。そして、プレフィルタ１２を第１突起１２Ａ回りに前側へ揺動させて、第１突起１２Ａを第１係合部１１Ｂの穴から外す。これにより、プレフィルタ１２をフィルタホルダ１１Ａから離脱させることができる。ここで、第１突起１２Ａと第２突起１２Ｂとが互いに異なる方向（第１突起１２Ａの突出方向は上下方向、第２突起１２Ｂの突出方向は幅方向）に突出している。そのため、第１突起１２Ａの突出方向と第２突起１２Ｂの突出方向とが同じ場合（たとえば、ともに幅方向）に比べて、それぞれの突起を対応する係合部の穴に対して円滑に嵌め込んだり外したりできる。
【００３７】
このようなプレフィルタ１２のフィルタホルダ１１Ａに対する着脱は、フィルタホルダ１１Ａを本体ケース２から離脱させてから実施できるが、フィルタホルダ１１Ａを本体ケース２に装着したままでも実施できる。その場合には、フィルタホルダ１１Ａやプレフィルタ１２の網目部分（汚れが付着した部分）に触れずに済むので、手を汚さずにプレフィルタ１２をフィルタホルダ１１Ａに対して着脱し、プレフィルタ１２、メインフィルタ１３、脱臭フィルタ１４をメンテナンスできる。
【００３８】
図８は、プレフィルタ１２の正面図である。図９は、プレフィルタ１２の成型を説明するための図であって、（ａ）は、本実施形態によるプレフィルタ１２を示し、（ｂ）は、比較例に係るプレフィルタ１２を示す。
図８に示すように、プレフィルタ１２は、樹脂製のフレーム（フィルタフレーム１２Ｄという。）と、上述した網目部分（ネット１２Ｅという。）とを含んでいる。フィルタフレーム１２Ｄの少なくとも前側（ネット１２Ｅの前側）は、格子状に形成されている。上述した第１突起１２Ａ、第２突起１２Ｂおよび取手１２Ｃは、格子状のフィルタフレーム１２Ｄに設けられている。また、格子状のフィルタフレーム１２Ｄの前面には、その４つの角に、正面視Ｌ字形状で前側に突出するリブ（つまみ１２Ｆという。）が設けられている。つまみ１２Ｆは、取手１２Ｃと同様に、プレフィルタ１２を移動させるときに把持される。
【００３９】
このようなプレフィルタ１２を成型する場合、図９（ｂ）に示すように、金型１２Ｇに固定されたピン１２Ｈにネット１２Ｅの４角を刺して、金型１２Ｇ内においてネット１２Ｅを位置決めし、金型１２Ｇを閉じて金型１２Ｇ内へ樹脂を射出し、ネット１２Ｅにフィルタフレーム１２Ｄが溶着するように、フィルタフレーム１２Ｄを成形する。このように成型されたプレフィルタ１２のネット１２Ｅにおいて、ピン１２Ｈが刺さった部分の網目１２Ｉ（図８において丸で囲まれた拡大部分参照）は、ピン１２Ｈが刺さった跡として、広がっている。そのため、この網目１２Ｉ付近におけるプレフィルタ１２の見映えが悪い。そこで、本実施形態のプレフィルタ１２では、広がった網目１２Ｉは、露出されないように、フィルタフレーム１２Ｄの中に隠されている。すなわち、プレフィルタ１２の成型用金型１２Ｇにおいて、図９（ｂ）においてフィルタフレーム１２Ｄから離れた位置に配置されていたピン１２Ｈを、図９（ａ）に示すように、フィルタフレーム１２Ｄ（詳しくはつまみ１２Ｆ）に収まるように配置している。従って、ピン１２Ｈの跡は、つまみ１２Ｆ内に隠されて前方からは見えない。
＜電解水ミスト発生ユニット＞
図２に示すように、この空気清浄機１には、本体ケース２（詳しくはメインフレーム４）の左上端に、メインフレーム４の壁面に覆われるように、電解水ミスト発生ユニット３０が装着されている。電解水ミスト発生ユニット３０は、後述するように、フィルタ１１を通過した後の清浄化された空気を用いて電解水ミストを放散させるものである。そのため、この空気清浄機１は、上述したように取り込んだ外気をフィルタ１１で清浄化するだけでなく、電解水ミスト発生ユニット３０に電解水ミストを放散させて、この電解水ミストによって外部の空気を殺菌・脱臭することができる。
【００４０】
図１０は、正面から見た電解水ミスト発生ユニット３０の縦断面図である。図１１は、図１０のＡ−Ａ線に基づく断面図である。図１２（ａ）は、図１０のＢ−Ｂ線に基づく断面図であり、図１２（ｂ）は、図１２（ａ）のＡ−Ａ線に基づく断面図である。
電解水ミスト発生ユニット３０は、正面側から見て、下側に配置された電解水ミスト発生部３１と、上側に配置されたタンク３２とを含んでいる。電解水ミスト発生部３１の右側には、電気接続部（図示せず）が設けられている。この電気接続部（図示せず）は、電解水ミスト発生ユニット３０が空気清浄機１にセットされたとき、本体ケース２に設けられた電気基板（図示せず）に接続されたジャック（図示せず）に連結される。
【００４１】
図１０および図１１を参照して、電解水ミスト発生ユニット３０は、トレー３３とメインケース３４とカバー３５と上述したタンク３２とを有している。トレー３３は、電解水ミスト発生ユニット３０の下部を区画している。メインケース３４は、上面が開口されたボックス状であり（開口された部分をケース開口２７という。）、トレー３３に対して上側から嵌め込まれている。メインケース３４の内部空間は、貯水室４９とされている。カバー３５は、メインケース３４に対して着脱可能に係合されており（詳しくは図示しないクランプで互いに固定されている。）、メインケース３４の上部を覆い、ケース開口２７を上側から塞いでいる。カバー３５には、その右側に偏った位置（貯水室４９の左右方向略中央部に相当する。）に、貫通穴（水給水口３５Ａという。）が形成されている。タンク３２は、水給水口３５Ａに差し込まれるように、カバー３５に対して、上側から着脱可能に装着されている。トレー３３とメインケース３４とカバー３５とによって、電解水ミスト発生部３１が構成されている。なお、図中で黒く塗り潰された部品は、パッキンである（他の図においても同じ。）。
【００４２】
図１０に示すように、タンク３２は、左右方向に長手であり、下端に開口（タンク開口３７という。）を有するタンク本体２８と、タンク開口３７に対して着脱可能であり、水給水口３５Ａに内嵌されるキャップ２９とを含んでいる。タンク本体２８は、タンク開口３７が下に向くようにセットされている。キャップ２９は、水給水口３５Ａを介して、メインケース３４内に上方から臨んでいる。
【００４３】
タンク本体２８に溜められた水は、キャップ２９に設けられた開閉機構３８がタンク開口３７を開くことによって、メインケース３４内へ落下し、貯水室４９に溜まる。そして、貯水室４９に溜まった水の水位が、図示１点鎖線で示した所定水位３９（貯水室４９の深さの約半分）に保たれるように、タンク３２から貯水室４９へ給水が行われる。キャップ２９周辺（開閉機構３８を含む。）については、以降で詳説する。
【００４４】
貯水室４９において、水給水口３５Ａに対する右側には、電解室４０（第１貯水室）が区画されている。電解室４０内には、電極保持部材４４によって保持された一対の電極板４１が設けられている。一対の電極板４１は、たとえば、チタンの板にルテニウム系材料等の触媒をコーティングすることにより形成されている。電解室４０内の一対の電極板４１は水に浸っており、一対の電極板４１にリード線（図示せず）を介して電圧が印加されることにより、電解室４０内の水は電気分解されて、電解水となる。
【００４５】
より具体的には、一対の電極板４１には、リード線（図示せず）を介して、断続的に（たとえば、１時間毎に３〜１０分程度）、互いに逆極性となるように交互に所定の電流（たとえば４０ｍＡ）が流れるよう電圧（たとえば、１０Ｖ）が印加され、これにより、電解室４０内の水が電気分解される。水は、通常、水道水が用いられ、水道水には塩素が含まれているから、電気分解により下記のような電気化学反応が起こる。
（陽極側）
４Ｈ2 Ｏ−４ｅ- →４Ｈ+ ＋Ｏ2 ↑＋２Ｈ2 Ｏ
２Ｃｌ- →Ｃｌ2 ＋２ｅ-
Ｈ2 Ｏ＋Ｃｌ2 ⇔ＨＣｌＯ＋Ｈ+ ＋Ｃｌ-
（陰極側）
４Ｈ2 Ｏ＋４ｅ- →２Ｈ2 ↑＋４ＯＨ-
（電極板間）
Ｈ+ ＋ＯＨ- →Ｈ2 Ｏ
上記のような電気化学反応により、殺菌作用や脱臭作用を有する次亜塩素酸（ＨＣｌＯ）や活性酸素を含む電解水を生成することができる。この生成された電解水から、後述するようにミストを生成することにより、殺菌作用や脱臭作用を有する電解水ミストを発生することができる。
【００４６】
貯水室４９において、水給水口３５Ａに対する左側には、振動付与室４６（第２貯水室、ミスト発生室）が区画されている。振動付与室４６と電解室４０とは連通しており、電解室４０内の水が振動付与室４６に自由に出入りし得る。
振動付与室４６の底面にはたとえば平面視円形の丸孔４８が形成されていて、この丸孔４８を介して、下方に配置された超音波振動子５０の上面５１が振動付与室４６に臨んでいる。振動付与室４６内の電解水は、超音波振動子５０の上面５１上に乗り、超音波振動子５０が動作することによって、その上面５１に触れている水が超音波振動され、振動付与室４６に溜まっている水の水面が山形に盛り上がる。このとき、水面から微小の水の粒子である電解水ミスト（以下では単に「ミスト」ということがある。）が発生する。
【００４７】
超音波振動子５０自体は、トレー３３とメインケース３４との間に配置されており、リード線５３を介して電源が供給される仕組みである。なお、上述した一対の電極板４１に接続されるリード線（図示せず）およびリード線５３には、上述した電気接続部（図示せず）を介して、本体ケース２の電気基板（図示せず）から電力が伝達される。
ここで、上述したように、貯水室４９では、電解室４０と振動付与室４６とが水給水口３５Ａを挟んで隔てられている（図１０参照）。そして、超音波振動子５０と、一対の電極板４１および水位検知用電極板４１Ａとを離している。これは、超音波振動子５０と電極板４１とが近くにあることによって超音波振動子５０の表面に電触反応が起きて超音波振動子５０の特性が低下することを防止するとともに、超音波振動子５０上の水面が山形に盛り上がって不安定となるので、超音波振動子５０から電極板４１，４１Ａを離すことによって、電極板４１での電解水の生成が不安定になることを防止している。特に、この実施例の場合、貯水室４９内の水位検知用電極板４１Ａ（水位が電極板４１Ａの下端より下がると超音波振動子５０が停止される。）が超音波振動子５０上での水位変動を検知して超音波振動子５０が頻繁に停止されないようにしている。
【００４８】
そのため、水給水口３５Ａを介して貯水室４９に供給されたタンク３２の水を、電解室４０で確実に電気分解して振動付与室４６に供給できるので、電解水ミストを確実に安定して発生させることができる。
振動付与室４６の上方は、カバー３５における水給水口３５Ａより左側の部分（左側部分３５Ｂという。）によって覆われている。左側部分３５Ｂは、第１部４２（空気導入路）と第２部４３と第３部４５とを含んでいる。第１部４２、第２部４３、第３部４５は、中空である。
【００４９】
第１部４２は、左側部分３５Ｂの左端に位置しており、前後方向に長手で中空の四角柱形状である。図１１に示すように、第１部４２では、後端部の下側部分が後方へ突出しており（ここを導入部４２Ａという。）、導入部４２Ａの後端には、開口（一端開口４２Ｂという。）が形成されている。また、第１部４２の右側壁の前側部分には、開口（他端開口４２Ｃという。）が形成されている。また、第１部４２内には、一端開口４２Ｂと他端開口４２Ｃとの間において、一端開口４２Ｂの前側に距離を隔てて対向配置される縦壁４２Ｄが上向きに凸設されている。縦壁４２Ｄの上端と第１部４２の天壁との間には、所定の隙間４２Ｅが形成されている。
【００５０】
図１０に示すように、第２部４３の内部は、他端開口４２Ｃに対して右側から連通する略直方体形状の空間であり、その天面（後述するミスト漂流室４７の天面の一部をなす）は、左側部分３５Ｂの天壁によって区画されている。第２部４３の内部は、振動付与室４６に対して上側から連通している。第２部４３には、略矩形状の金属板４３Ａが配置されている。金属板４３Ａは、第２部４３において、左側部分３５Ｂの天壁に支持され、第２部４３内を下向きに臨んでおり、その下面４３Ｂは、超音波振動子５０の上面５１に対して、上下方向に所定の間隔を隔てて対向している。
【００５１】
図１２（ａ）に示すように、第３部４５の内部は、第２部４３の内部に対して後側から連通する略直方体形状の空間であり、その天面（後述するミスト漂流室４７の天面の一部をなす）は、左側部分３５Ｂの天壁によって区画されている。第３部４５の内部は、振動付与室４６に対して上側から連通している。左側部分３５Ｂの天壁において、第３部４５の天面を区画する部分は、他の部分に比べて、若干下側に突出しており、この部分には、左右方向に長手の楕円形状の開口（出口としてのミスト出口４５Ａという。）が形成されている。ミスト出口４５Ａは、第３部４５の内部に上から連通している。ミスト出口４５Ａには、ミスト誘導路５４が取り付けられている。
【００５２】
ミスト誘導路５４は、ミスト出口４５Ａとほぼ等しい断面形状（楕円形状）を有する管であり、タンク３２の後側面に沿ってやや湾曲しながら上方へ延び、途中で屈曲して上方ヘ真直ぐに延びている。このようにミスト誘導路５４において屈曲した部分を、屈曲部分５４Ａという。ミスト誘導路５４とタンク３２とは、タンク３２の上面と下面とで結合されて一体化されている。ミスト誘導路５４は、その下端がミスト出口４５Ａに挿通されることによって、ミスト出口４５Ａに連通されている。また、図２に示すように、ミスト誘導路５４の上端は、メインフレーム４の上側壁に形成された穴(ケース穴４Ｂという。）を貫通してメインフレーム４の上側壁より上側に突出し、この上端には、ミスト放散口５５が開口されている。ここで、ミスト誘導路５４がタンク３２の側面に沿って配置されているので、電解水ミスト発生ユニット３０の小型化を図ることができる。
【００５３】
図１０および図１２（ａ）に示すように、貯水室４９（詳しくは振動付与室４６）における、所定水位３９まで溜まった水の水面から上の空間と、第２部４３と第３部４５とによって、予め定める容積の空間を有するミスト漂流室４７が形成される。つまり、貯水室４９では、ミスト漂流室４７によって、所定水位３９の水の水面上方に空間が確保されている。上述したように電解水に超音波振動を付与することによって発生したミストは、ミスト漂流室４７を漂う。
【００５４】
ミスト漂流室４７を漂うミストは、ミスト出口４５Ａからミスト誘導路５４を通って空気清浄機１の外部へ放散される。ミストが拡散される様子を以下に説明する。
図５に示すように、後側ファンケーシング１７Ｂにおいて、シロッコファン９によって上方へ吹き出される空気は、第２放出口２２を通って外部へ放出されるとともに（図示破線矢印参照）、通気口５７を通って電解水ミスト発生ユニット３０へも与えられる（図示１点鎖線矢印参照）。通気口５７から電解水ミスト発生ユニット３０側へ進入する空気は、図１１の破線矢印で示すように、一端開口４２Ｂから第１部４２内へと入る。ここで、第１部４２内に入った空気は、縦壁４２Ｄにぶつかることでその向きが上方ヘ変更され、隙間４２Ｅを通って第１部４２内を流れていく。そして、他端開口４２Ｃが第２部４３（ミスト漂流室４７）に臨んでいるので、第１部４２内を流れた空気は、他端開口４２Ｃからミスト漂流室４７内へと入る。このように、第１部４２は、通気口５７から供給される清浄化された空気をミスト漂流室４７へ導入するための空気導入路として機能する。
【００５５】
ミスト漂流室４７内へ入った空気は、図１２（ａ）の破線矢印で示すように、ミスト漂流室４７を漂っているミストを押しながら、ミスト漂流室４７内を旋回する。この旋回によって、粒子の大きいミストが遠心分離され、旋回する空気は、粒子の細かいミストだけを選別して押し流すことができる。ここで、粒子の大きいミストは、重いので、後述するようにミスト放散口５５へ到達しても、外部へ円滑に放散されずにミスト放散口５５の周辺に溜まり、結露を生じさせるので、ミストは、粒子の細かいものが好ましい。
【００５６】
その後、この空気は、メインケース３４やカバー３５の内壁面に当たることによって、流れる向きがミスト出口４５Ａへ向けられる。これにより、この空気は、ミスト出口４５Ａからミスト誘導路５４へと流れ、ミスト誘導路５４の上端のミスト放散口５５から外部へと放散される。これに伴い、ミスト漂流室４７内のミストは、外部へ放散される空気によってミスト出口４５Ａへ押し出され、ミスト誘導路５４を経てミスト放散口５５から外部へ放散される。
【００５７】
このように、通気口５７（図２参照）、一端開口４２Ｂ（図１１参照）、第１部４２（図１１参照）、他端開口４２Ｃ（図１１参照）、ミスト漂流室４７、ミスト出口４５Ａ、ミスト誘導路５４およびミスト放散口５５といった構成要素によって、清浄化された空気の一部をバイパスするバイパス流路が構成されている。そして、バイパス流路によって、ミスト漂流室４７に漂う電解水ミストを、清浄化された空気によって良好に運ぶことができ、ミスト放散口５５から外部へ電解水ミストを放散させることができる。このとき、ミストを放散させるための空気流は、フィルタ１１を通過させて清浄化された空気で構成されており、清浄化された空気によりミストが運ばれて放散されるので、衛生的で、かつ清潔な空気によって電解水ミストを室内等に放散させることができる。
【００５８】
ここで、上述したように、後側ファンケーシング１７Ｂに設けたガイドリブ２４（図６参照）によって、後側ファンケーシング１７Ｂ内を図５の破線矢印に沿って第２放出口２２へ向かって流れようとする空気の一部は、通気口５７側へ分流される（図示１点鎖線矢印参照）。そのため、この分流された空気によって、電解水ミスト発生ユニット３０で発生した電解水ミストを外部へ放散させるための空気を比較的多く確保することができる。そして、後側ファンケーシング１７Ｂ内を流れる空気をガイドリブ２４によって分流することによって、電解水ミスト発生ユニット３０側へ分流された空気の流速を増加させることができる。これらの結果、この分流された空気によって、電解水ミストを外部へ勢いよく放散することができる。電解水ミストを外部へ勢いよく放散することができれば、ミスト放散口５５周辺（図２参照）で電解水ミストが滞留することによる結露の発生(結露した水分が乾燥すると汚れとなってミスト放散口５５周辺に付着する)を防止することができる。
【００５９】
ガイドリブ２４が図６（ａ）に示すＩ字形状である場合には、通気口５７（電解水ミスト発生ユニット３０）側へ分流された空気の流速を、ガイドリブ２４がない場合に比べて約５０％増加させることができる。さらに、ガイドリブ２４が図６（ｂ）に示すＬ字形状であれば、図５（ｂ）に示すように、空気の流れ方向に見たガイドリブ２４の上流側において、通気口５７側へ流れる空気の一部を、ガイドリブ２４の切欠き部分２４Ａ（図６（ｂ）参照）を経由させて、第２吐出口２１側に戻すことができる（図５（ｂ）の２点鎖線矢印参照）。そのため、この空気清浄機１では、後側ファンケーシング１７Ｂ内を流れる空気において必要以上の空気が電解水ミスト発生ユニット３０側へ分流されることで第２放出口２２から出る空気の流量が低下することを防止することができる。これにより、清浄化された空気の第２放出口２２での流出量を安定して確保することができる。つまり、このようなＬ字形状のガイドリブ２４を設けることによって、電解水ミストを外部へ勢いよく放散することができつつ、空気清浄機１の本来の機能（清浄化された空気の安定供給）を確保することができる。
【００６０】
また、図１０に示すように、ミスト漂流室４７は、貯水室４９に所定水位３９（好ましくは、想定し得る最高水位３９Ａ）まで溜められた水の水面上方に確保されている。そして、図１２（ａ）に示すように、ミスト出口４５Ａが形成されている第３部４５におけるカバー３５の天壁は、ミスト漂流室４７の天面である。つまり、外部へ放散されるミストが通過するミスト出口４５Ａは、ミスト漂流室４７の天面に開口している。そのため、貯水室４９に溜められた水の水位が上昇しても、ミスト出口４５Ａが水によって塞がれることを防止することができるので、貯水室４９内の水の水位にかかわらずミストを外部へ安定して放散することができる。つまり、ミスト出口４５Ａが水によって塞がれていなければ、ミストがミスト出口４５Ａから外部へ順次放散されるので、水の水位がたとえ最高水位３９Ａまで上昇しても、その後所定水位３９まで低下させることができる。
【００６１】
このようにミスト漂流室４７は、予め定める容積の空間を有しているので、貯水室４９に所定水位３９（最高水位３９Ａも含む）まで溜められた水の水面上方に確実に確保される。そのため、貯水室４９に溜められた水の水位が上昇しても、ミスト出口４５Ａが水によって塞がれることを確実に防止することができる。
また、超音波振動子５０を連続運転すると、振動によって貯水室４９内の水が加熱され、温度が高くなるにつれ、水中の塩素が蒸発し易くなり、水温が約４０℃以上になると、水分中の塩素が殆んど蒸発してしまう。この場合には、上述した殺菌作用や脱臭作用を有する次亜塩素酸（ＨＣｌＯ）を含む電解水を生成できなくなる。そのため、超音波振動子５０を間欠運転する必要があるが、この場合において、ミスト漂流室４７が予め定める容積の空間を有することにより、ミストを比較的多量に発生させることができるので、ミストの安定した放散が可能となる。
【００６２】
また、ミスト漂流室４７が予め定める容積の空間を有することにより、ミスト漂流室４７の天面（カバー３５の天壁）と水面との間を十分に隔てることができるので、超音波振動子５０の振動によって貯水室４９の水がミスト漂流室４７の天面まで跳ね上がりにくくなり、水の持っている超音波エネルギーによりミスト漂流室４７の天面を破損させることを抑制することができる。
【００６３】
なお、ミスト漂流室４７の天面には、超音波振動子５０と上下方向に対向するように、金属板４３Ａが設けられている。そのため、超音波振動子５０の振動によって貯水室４９の水がミスト漂流室４７の天面に跳ね上がっても、この水は金属板４３Ａによって受け止められる。詳しくは、金属板４３Ａは、跳ね上がった水が有する超音波エネルギーを吸収し、熱として放出する。そのため、跳ね上がった水がミスト漂流室４７の天面に直接当たってこの天面が破損することを防止でき、また、跳ね上がった水が金属板４３Ａに当たることで、粒子の細かい（空気の殺菌・脱臭効果の高い）ミストを発生させることができる。
【００６４】
また、電解水ミスト発生ユニット３０で発生した電解水ミストを外部へ勢いよく放散させるために、上述したようにガイドリブ２４を設けて後側ファンケーシング１７Ｂ内を流れる空気の一部を通気口５７側へ分流しているが（図５参照）、電解水ミスト発生ユニット３０内の構成も、電解水ミストの円滑な放散に寄与しており、以下に説明する。なお、これらの構成は、単独で存在してもよいが、上述したガイドリブ２４を含めて互いに組み合わせたことで、電解水ミストの一層円滑な放散を実現させている。
【００６５】
上述したミスト誘導路５４は、ミスト漂流室４７の天面に設けられたミスト出口４５Ａから連続して上方に延びているので、ミスト誘導路５４の途中でミストが滞留することを防止し、ミストを外部へ勢いよく放散することができる。ここで、ミスト誘導路５４において、ミスト放散口５５の内方、詳しくは誘導路５４の屈曲部分５４Ａのやや上側には、リブ（絞りリブ５４Ｂという。）が設けられている。絞りリブ５４Ｂは、図１２（ｂ）の斜線部分で示すように、ミスト誘導路５４とほぼ同じ断面形状を有し、その中央には、穴（絞り穴５４Ｃ）が形成されている。そのため、図１２（ａ）を参照して、ミスト放散口５５へ向かってミスト誘導路５４を上向きに流れる空気が絞りリブ５４Ｂの絞り穴５４Ｃを通過するときにその流量が絞られ、空気の流速が増加する。これにより、この空気に運ばれるミストをミスト放散口５５から外部へ勢いよく放散することができる。
【００６６】
また、この絞りリブ５４Ｂによって、コインなどの異物がミスト放散口５５からミスト誘導路５４内に侵入することを防止することができる。
また、ミスト誘導路５４は、屈曲部分５４Ａで屈曲しており、この屈曲部分５４Ａにより、粒子の大きなミストのミスト放散口５５からの放出を抑制できる。この屈曲部分５４Ａには、放出を抑制されたミストが水滴となって溜まりやすいが、上述したように、絞りリブ５４Ｂは、誘導路５４の屈曲部分５４Ａからやや上側へ外して設けられているので、この水滴が、表面張力によって絞りリブ５４Ｂと屈曲部分５４Ａとに亘って溜まって絞り穴５４Ｃを塞ぐことなく、円滑に誘導路５４の下端（ミスト出口４５Ａ）まで流れ落ち、貯水室４９に戻る。
【００６７】
図１３は、電解水ミスト発生ユニットの別の実施形態を示す図で、図１１に示す構成の変形を示す図である。
図１３に示すように、カバー３５における第１部４２の一端開口４２Ｂでの断面積Ｘが、第１部４２（詳しくは図示実線矢印で示す空気の流れ方向における一端開口４２Ｂより下流側部分）の通路断面積Ｙに比べて大きくされているとよい。そのため、この実施形態では、第１部４２において、導入部４２Ａの底壁を、後側に向かって下向きに傾斜させている。これにより、第１部４２では、一端開口４２Ｂにおいて、後側ファンケーシング１７Ｂ（図５参照）に連通する通気口５７から比較的多量の空気を取り込み、他端開口４２Ｃにおいて、この空気を比較的高い流速でミスト漂流室４７へ導入することができる。そのため、ミスト漂流室４７内の多量のミストをこの空気に乗せて外部へ勢いよく放散することができる。なお、この場合、一端開口４２Ｂと通気口５７との間に若干の隙間があるが、実質的にこの隙間からの空気漏れはない。
【００６８】
図１４は、電解水ミスト発生ユニットのさらに別の実施形態を示す図で、図１１に示す構成の変形を示す図である。図１５は、図１４に示す実施形態であって、図１４と異なる部分の断面を示す図である。
図１４に示すように、通気口５７を第１部４２の一端開口４２Ｂより広くするとよい。その場合、通気口５７から一端開口４２Ｂへ流れようとする空気のうち、一部が、一端開口４２Ｂへ到達せずに、メインフレーム４の壁と電解水ミスト発生ユニット３０との間に流れ込む（図示破線矢印参照）。メインフレーム４の壁と電解水ミスト発生ユニット３０との間に流れ込んだ空気は、図１５の破線矢印で示すように、メインフレーム４の壁とタンク３２（ミスト誘導路５４も含まれる。）との間の隙間（補助空気流路５８という。）を、ミスト誘導路５４の外周に沿って上昇する。そして、補助空気流路５８を流れる空気は、メインフレーム４の上側壁のケース穴４Ｂから上方ヘ流出する（図示破線矢印参照）。ここで、ケース穴４Ｂには、ミスト誘導路５４の上端が挿通されているので、ケース穴４Ｂから流出する空気は、ミスト誘導路５４の上端、つまりミスト放散口５５周囲から、ミストの放散方向（図示実線矢印参照）に沿って流出する。そのため、ミスト誘導路５４を流れるミストは、補助空気流路５８を経てミスト放散口５５周囲から放散方向へ流れる空気が壁となることによって、上向きに放出され、ミスト放散口５５周囲の環境（温度や湿度などが含まれる。）の影響を受けにくくなる。これにより、たとえば、図２を参照して、ミスト放散口５５に到達したミスト（図示実線矢印参照）が、第２放出口２２から流出する空気（図示破線矢印参照）に引き寄せられたり押し出されたりしてミスト放散口５５周辺のメインフレーム４の上側壁を濡らすことを防止できる。そのため、上述した粒子の大きいミストであっても、このミストを、ミスト放散口５５周辺で結露を生じさせることなく、ミスト放散口５５から外部へ勢いよく放散することができる。
＜キャップ＞
図１６は、タンク３２のキャップ２９を示す図であって、（ａ）は、キャップ２９の円中心での縦断面図であり、（ｂ）は、キャップ２９の底面図である。図１７は、図１６において仕切り２９Ｅを設けた図である。
【００６９】
図１６（ａ）に示すように、キャップ２９は、上下方向に延びる軸線２９Ａを有する中空円筒状である。キャップ２９の軸線方向略中央には、軸線２９Ａと直交する方向に沿って、キャップ２９の外周壁に向かって放射状に延びる３本のリブ２９Ｂが設けられている（図１６（ｂ）参照）。３本のリブ２９Ｂの連結部分（図１６（ｂ）参照）には、軸線方向に沿って延びる円筒２９Ｃが設けられている。
【００７０】
円筒２９Ｃの外周面とキャップ２９の外周壁の内周面との間には、隙間（図示斜線部分であり、落下通路３６という。）が形成されている。落下通路３６は、下側において外部に連通している一方で、上側においてタンク本体２８内部（図１０参照）に連通可能である。円筒２９Ｃの中空部分２９Ｄは、タンク本体２８内部に連通しており、この中空部分２９Ｄには、上述した開閉機構３８が設けられている。
【００７１】
開閉機構３８は、中空部分２９Ｄに遊嵌される軸部３８Ａと、軸部３８Ａの上端部に取り付けられ、タンク本体２８内（図１０参照）に配置される傘部３８Ｂとを含んでいる。開閉機構３８は、軸部３８Ａが中空部分２９Ｄ内に遊嵌されることにより、キャップ２９に対して軸線方向にスライド自在である。ここで、開閉機構３８は、図示したバネ３８Ｃなどの付勢手段（開閉機構３８の自重でもよい）によって、常には下向きに付勢されており、この状態で、傘部３８Ｂが落下通路３６を上側（タンク本体２８内部側）から閉鎖している。つまり、常には、キャップ２９の落下通路３６は、開閉機構３８によって、タンク本体２８内部（図１０参照）から遮断されており、これに応じてタンク本体２８のタンク開口３７（図１０参照）が閉じられている。
【００７２】
ここで、図１０に示すように、電解水ミスト発生ユニット３０の貯水室４９において、水給水口３５Ａの下方には、メインケース３４の底壁から水給水口３５Ａへ向かって上方ヘ突出するピン（突出ピン３４Ａという。）が設けられている。そのため、上述したようにタンク３２をカバー３５（貯水室４９）に対して上側からセットしてキャップ２９が水給水口３５Ａに内嵌されると、開閉機構３８が突出ピン３４Ａに押し上げられる。このとき、開閉機構３８がバネ３８Ｃ（図１６（ａ）参照）の付勢力に抗して上昇するので、傘部３８Ｂがキャップ２９の落下通路３６を上側へ開放し、これに応じてタンク開口３７が開放される。その結果、タンク本体２８内部と落下通路３６と貯水室４９とが連通する。この状態において、タンク本体２８内部の水が、落下通路３６を落下して貯水室４９に溜められる。そして、貯水室４９の水位がキャップ２９の下端（落下通路３６の下端でもあり、上述した所定水位３９に相当する。）まで上昇すると、タンク３２から貯水室４９への給水が停止される。このとき、落下通路３６には水が充満している。一方、タンク３２を貯水室４９から取り外すときには、突出ピン３４Ａによる開閉機構３８の押し上げが解除されることで、傘部３８Ｂがキャップ２９の落下通路３６を上側から閉鎖し、タンク本体２８のタンク開口３７が閉じられるので、タンク開口３７から水が漏れることはない。
【００７３】
ここで、タンク３２を貯水室４９から取り外すと、落下通路３６に溜まっていた水が貯水室４９に落下するので、タンク３２が貯水室４９にセットされていたときに比べて、貯水室４９の水位が上昇する。そのため、タンク３２の貯水室４９へのセットおよび貯水室４９からの取り出しを交互に何度も繰り返すと、貯水室４９の水位が必要以上に上昇する虞がある。詳しくは、水位の上昇は、最高水位３９Ａ（図１０参照）まで達する。水位が最高水位（図１１でいうと、縦壁４２Ｄまでの高さと等しい。）まで到達すると、水は縦壁４２Ｄを乗り越えて導入部４２Ａの一端開口４２Ｂより本体ケース２内へ流出し、本体ケース２内を濡らしてしまう。また、カバー３５の高さが低い場合には、ミスト漂流室４７のミスト出口４５Ａが水で塞がれ、ミストを外部へ安定して放散できなくなる虞がある。
【００７４】
しかし、この実施形態では、図１７に示すように、円筒２９Ｃの外周面とキャップ２９の外周壁の内周面との間の下側部分には、円筒２９Ｃを取り囲む環状の仕切り２９Ｅが設けられている。この仕切り２９Ｅによって、落下通路３６（図示斜線部分参照）の容積が下方で増加するのが制限されるので、仕切り２９Ｅがない場合（図１６の落下通路３６を示す斜線部分参照）に比べて、落下通路３６に溜まる水の量を低減できる。また、このように狭い落下通路３６に溜まった水は、表面張力によって落下しくくなる。そのため、タンク３２のセットおよび取り出しを繰り返しても、貯水室４９の水位上昇を最低限に抑えることができ、できる限り最高水位３９Ａまで水位が上昇することのないようにしている。
＜人感センサ＞
人感センサ６０は、図２に示すように、前方空間２６上方においてメインフレーム４の上部の前側壁をなす内パネル４Ｃに設けられている。人感センサ６０は、たとえば赤外線を用いることによって、空気清浄機１の正面における人の存在を検知するもの（いわゆるＩＲセンサ）であり、人感センサ６０が人の存在を検知すると、図示しない制御部によって、空気清浄機１の運転状況が変更される。この場合、たとえば、清浄化される空気の量や電解水ミストの発生量が増加する。
【００７５】
図１８は、メインフレーム４の内パネル４Ｃにおいて人感センサ６０近傍部分を抜き出して示した図であって、（ａ）は、背面図であり、（ｂ）は、（ａ）の図示矢印Ａ側から見た側面図であり、（ｃ）は、（ａ）のＢ−Ｂ線に基づく断面図であり、（ｄ）は、（ｂ）に比較例を適用した図である。図１９は、人感センサ６０周辺を示した図であって、（ａ）は、正面図であり、（ｂ）は、（ａ）のＡ−Ａ線に基づく断面図であり、（ｃ）は、リング状レンズ６１の背面図である。
【００７６】
図１８に示すように、メインフレーム４の内パネル４Ｃには、上述した人感センサ６０以外に、リング状レンズ６１、電気回路基板６２および２個のＬＥＤ６３が取り付けられている。
ここで、図１８（ｂ）および図１８（ｃ）に示すように、内パネル４Ｃの上下方向略中央には、貫通穴（パネル穴６６）が形成されている。そして、内パネル４Ｃの背面には、２本のボス（第１ボス６４という。）と、１本のボス（第２ボス６７という。）と、１本のフック（パネルフック６８という。）が設けられている。２本の第１ボス６４は、図１８（ｂ）に示すように、パネル穴６６を左右から挟むように、後方へ突出している。図１８（ｃ）に示すように、第２ボス６７は、パネル穴６６の上方において、後方へ突出している。パネルフック６８は、パネル穴６６の下方において、後方へ突出している。また、図１に示すように、正面装飾パネル５には、内パネル４Ｃのパネル穴６６に対向する位置に、貫通穴（小孔７２という。）が形成されている。
【００７７】
図１８（ａ）に示すように、電気回路基板６２は、正面視略矩形状で前後方向に薄い板状である。電気回路基板６２の幅方向両端部は、２本の第１ボス６４の後端部に、ねじ６５によって、それぞれ固定されている（図１８（ｂ）参照）。つまり、電気回路基板６２は、第１ボス６４に固定されることによって、内パネル４Ｃの背面から後方へ間隔を隔てて配置されている。
【００７８】
図１８（ｂ）および図１９（ｂ）に示すように、人感センサ６０は、電気回路基板６２に対して、その前側表面６２Ａにおいて実装されている。人感センサ６０は、電気回路基板６２の前側表面６２Ａから円柱状に突出する円柱状基部６０Ａと、円柱状基部６０Ａの先（前端部）に形成された半球状先端部６０Ｂとを有している。図１８（ｃ）に示すように、円柱状基部６０Ａおよび半球状先端部６０Ｂの内部には、電気回路基板６２に電気的に接続されるセンサ本体６０Ｃが配置されている。円柱状基部６０Ａおよび半球状先端部６０Ｂの外表面は、センサ本体６０Ｃを保護するカバーの役割を果たしており、そのため、金属で形成されている。
【００７９】
２個のＬＥＤ６３は、ともに青色の光を発する円柱形状のＬＥＤである。図１８（ｂ）および図１９（ｂ）に示すように、２つのＬＥＤ６３は、人感センサ６０と同様に、電気回路基板６２に対して、その前側表面６２Ａにおいて実装されている。詳しくは、２つのＬＥＤ６３は、図１８（ａ）および図１９（ａ）に示すように、人感センサ６０を中心とする周方向において互いに１８０°隔たるように配置されている。
【００８０】
図１８（ｃ）に示すように、リング状レンズ６１は、肉厚環レンズ６１Ａと肉薄環レンズ６１Ｂとレンズ支持部６１Ｃとを一体的に有している。肉厚環レンズ６１Ａおよび肉薄環レンズ６１Ｂは、ともに、透明の樹脂等で形成された環状であり、その軸線は前後方向に延びている。肉厚環レンズ６１Ａは、肉薄環レンズ６１Ｂよりも肉厚である。そして、肉薄環レンズ６１Ｂは、肉厚環レンズ６１Ａの前端から連続して前側へ突出している。また、肉厚環レンズ６１Ａの内周面と肉薄環レンズ６１Ｂの内周面とは、同じ大きさを有しており、互いに連続している。つまり、肉薄環レンズ６１Ｂが肉厚環レンズ６１Ａに接続された状態において、肉厚環レンズ６１Ａおよび肉薄環レンズ６１Ｂは、共通の内周面６１Ｄを有している。
【００８１】
また、図１９（ｂ）に示すように、肉厚環レンズ６１Ａの後側端面（底面６１Ｅという。）は、上下左右方向に平坦（詳しくは、電気回路基板６２の前側表面６２Ａと略平行）に延びている。上述した内周面６１Ｄは、底面６１Ｅに対して直角に立ち上がっている。そして、内周面６１Ｄと底面６１Ｅとの境界であるコーナー６１ＦにはＣ面取りが施されている。ここで、図１９（ｃ）に示すように、底面６１Ｅと、コーナー６１ＦにおいてＣ面取りされた面には、白地ペイント（図示斜線表示部分であり、ペイント部６１Ｇという。）が施されている。また、図１９（ａ）に示すように、肉厚環レンズ６１Ａの外周部分には、周方向に１８０°隔たる位置に、その外周面から切り込まれた一対の切欠部６１Ｈが形成されている。
【００８２】
レンズ支持部６１Ｃは、図１８（ａ）に示すように、上下方向に長手の棒状である。詳しくは、レンズ支持部６１Ｃは、図１８（ｃ）に示すように、下方へ向かうに従って、前側へクランク状に屈曲しており、その下端部は、肉厚環レンズ６１Ａの上端部に接続されている。
リング状レンズ６１では、レンズ支持部６１Ｃの上端部が、第２ボス６７の後端部に、ねじ６９によって固定されている。レンズ支持部６１Ｃは、上述したようにクランク状であるので、第２ボス６７および内パネル４Ｃに沿って下方へ延びている。そして、レンズ支持部６１Ｃに支持された肉厚環レンズ６１Ａおよび肉薄環レンズ６１Ｂは、肉薄環レンズ６１Ｂがパネル穴６６に挿通されるように、配置されている。ここで、肉厚環レンズ６１Ａの下端部には、パネルフック６８が係合されており、肉厚環レンズ６１Ａおよび肉薄環レンズ６１Ｂが位置決めされている。このように、リング状レンズ６１は、電気回路基板６２に実装されていない。
【００８３】
この状態において、肉薄環レンズ６１Ｂの前端部は、内パネル４Ｃより前側に突出している。また、肉厚環レンズ６１Ａの底面６１Ｅが、電気回路基板６２の前側表面６２Ａに対して、前後方向に所定の隙間７０を隔てて対向している。そして、肉厚環レンズ６１Ａおよび肉薄環レンズ６１Ｂの内側に人感センサ６０が挿通されている。人感センサ６０は、リング状レンズ６１（肉厚環レンズ６１Ａおよび肉薄環レンズ６１Ｂの内周面６１Ｄ）によって、周方向外側から取り囲まれている。詳しくは、肉厚環レンズ６１Ａが人感センサ６０の円柱状基部６０Ａを取り囲み、肉薄環レンズ６１Ｂが人感センサ６０の半球状先端部６０Ｂを取り囲んでいる。なお、図示されていないが、肉薄環レンズ６１Ｂの先端（前端）および半球状先端部６０Ｂは、正面装飾パネル５の小孔７２（図１参照）から外方（前方）へ臨んでいる。ここで、肉薄環レンズ６１Ｂの先端（前端）は、半球状先端部６０Ｂの先端よりも僅かに前側にあるが、正面装飾パネル５の前側面よりも後側にある。そして、図１８（ａ）に示すように、２個のＬＥＤ６３では、それぞれの先端（頭６３Ａという。）が、肉厚環レンズ６１Ａにおいて対応する切欠部６１Ｈに収められている。
【００８４】
この状態において、上述したように人感センサ６０が人の存在を検知すると、電気回路基板６２から電力が供給されることによって、２つのＬＥＤ６３が青く発光する。この場合、各ＬＥＤ６３が発する光は、まず、図１９（ａ）に示す頭６３Ａから切欠部６１Ｈを介して肉厚環レンズ６１Ａ内に入射される。そして、この光は、図１９（ａ）の実線矢印で示すように、肉厚環レンズ６１Ａ内を周方向に進みつつ、図１９（ｂ）の実線矢印で示すように、肉厚環レンズ６１Ａ内を内周面６１Ｄ側へ進む。内周面６１Ｄ側へ進む光は、上述したコーナー６１ＦにおいてＣ面取りされた面において、肉薄環レンズ６１Ｂ側（前側）へ屈折する。そのため、ＬＥＤ６３が発する光によって、リング状レンズ６１を、前側に向けて、サークル状に均一に青く輝かせることができる。これにより、人感センサ６０を周囲から綺麗に装飾することができる。この様子は、正面装飾パネル５に形成された小孔７２（図１参照）によって、外方（前方）へ露出される。その結果、空気清浄機１の機能性の一つである人感センサ６０が設けられていることと、人感センサ６０が機能していることとを、使用者に積極的にアピールできる。また、肉厚環レンズ６１Ａの底面６１Ｅおよびコーナー６１ＦにおいてＣ面取りされた面に白地ペイントを施す（ペイント部６１Ｇを設ける）ことにより、ＬＥＤ６３の発光量を増加させなくても、既存のＬＥＤ６３だけでリング状レンズ６１を明瞭に輝かせることができる。
【００８５】
ここで、図１８（ｂ）を参照して、この実施形態で用いられるＬＥＤ６３は、比較的大径（たとえば直径が５ｍｍ）である。そのため、このＬＥＤ６３より小径（たとえば直径が３ｍｍ）のＬＥＤ７１を用いる場合（図１８（ｄ）参照）に比べて、大径のＬＥＤ６３の頭６３Ａを切欠部６１Ｈに収めるために、肉厚環レンズ６１Ａおよび肉薄環レンズ６１Ｂを前側（電気回路基板６２の前側表面６２Ａから離れる方向）へずらしている。そのため、上述した肉厚環レンズ６１Ａの底面６１Ｅと電気回路基板６２の前側表面６２Ａとの間の前後方向における隙間７０は、比較的大きくなる。この実施形態では、隙間７０は、たとえば１．５ｍｍ（図１８（ｄ）における小径のＬＥＤ７１を用いる場合、隙間７０は０．５ｍｍと極めて小さい。）であり、人感センサ６０が濡れたときに侵入した水が表面張力で留まることができない程度の大きさである。そのため、図１８（ｃ）を参照して、リング状レンズ６１と人感センサ６０との間に侵入した水分を、電気回路基板６２の前側表面６２Ａと肉厚環レンズ６１Ａの底面６１Ｅとの間に留めることなく、流し落とすことができる。また、肉厚環レンズ６１Ａの底面６１Ｅと内周面６１Ｄとのコーナー６１ＦにはＣ面取りが施されているので、コーナー６１Ｆで水分が溜まることもない。その結果、リング状レンズ６１と人感センサ６０との間に水分が侵入しても、Ｃ面取り部分を介し、電気回路基板６２の前側表面６２Ａと肉厚環レンズ６１Ａの底面６１Ｅとの隙間７０を通って流し落とされ、この水分による人感センサ６０の腐食等を防止することができる。
【００８６】
また、電気回路基板６２と肉厚環レンズ６１Ａの底面６１Ｅとの間に上述した隙間７０を設けているので、空気清浄機１が転倒してリング状レンズ６１が床面に衝突しても、肉厚環レンズ６１Ａが電気回路基板６２にぶつかって電気回路基板６２が破損することを防止することができる。ここで、図１に示すように、メインフレーム４の前面は、上述したように、リング状レンズ６１が前方へ突出しないように、正面装飾パネル５で覆われている。そのため、メインフレーム４が正面装飾パネル５によって覆われた状態で空気清浄機１が前方へ転倒しても、リング状レンズ６１が床面に衝突することを防止することができる。
＜正面装飾パネル＞
図２０は、背面右下側から見た正面装飾パネル５の斜視図であって、（ａ）は、正面装飾パネル５全体を示し、（ｂ）は、正面装飾パネル５の上側左端部を拡大して示している。
【００８７】
図２０に示すように、正面装飾パネル５は、主面板７５と補助板７６とを備えている。主面板７５は、上下方向に長手で正面視略矩形状の略平板状であり、透明な樹脂等で形成されている。主面板７５では、裏面（背面）のほぼ全ての領域が、たとえば白色で塗装されているので、主面板７５の正面は光沢感がある。また、正面装飾パネル５では、その上辺部と下辺部が背面側へ湾曲している。詳しくは、正面装飾パネル５の上辺部は、幅方向における全域に亘って湾曲している（この部分を上湾曲部７７という。）。そして、正面装飾パネル５の下辺部では、幅方向両端部のみが、それ以外の部分に比べて下方へ突出し、背面側へ湾曲している（これらの部分を下係止部としての下湾曲部７８という。）下湾曲部７８については、以降で詳説する。
【００８８】
上湾曲部７７の後端部７７Ａは、上湾曲部７７の幅方向における全域に亘って前後左右方向に沿って平坦である。この後端部７７Ａの幅方向両端は、下方へ折り曲げられている（この部分を折曲部７７Ｂという。）。折曲部７７Ｂの後側下端縁は、斜め後側上方へ傾斜して延びている。
そして、後端部７７Ａには、複数の貫通穴８０が形成されている。これらの貫通穴８０は、形状に応じて、第１貫通穴８０Ａ、第２貫通穴８０Ｂ、第３貫通穴８０Ｃに区別される。第１貫通穴８０Ａは、前後方向に長手の略楕円形状であり、後端部７７Ａの後端縁近傍において、幅方向に間隔を隔てて、たとえば６つ形成されている。第２貫通穴８０Ｂは、幅方向にやや長手の略矩形状であり、第１貫通穴８０Ａの前側において、幅方向にほぼ等しい間隔を隔てて、たとえば３つ形成されている。第３貫通穴８０Ｃは、第２貫通穴８０Ｂよりも前後方向に小さい略矩形状であり、第２貫通穴８０Ｂの前側において、幅方向にほぼ等しい間隔を隔てて、たとえば４つ形成されている。
【００８９】
補助板７６は、上湾曲部７７の後端部７７Ａにほぼ等しい幅方向に長手の矩形板状である。補助板７６は、不透明の樹脂等で形成されている。補助板７６の幅方向両端は、下方へ折り曲げられている（この部分を折曲部７６Ａという。）。そして、この折曲部７６Ａの前端部は、幅方向内側へ折り曲げられ、さらに上側へ僅かに折り曲げられている。すなわり、折曲部７６Ａの前端部は、フック形状である（この部分を第１フック部７６Ｂという。）。また、補助板７６の後端は、幅方向全域に亘って下方へ折り曲げられ、そのうちの一部はさらに前側へ折り曲げられている（この部分を第２フック部７６Ｃという。）。第２フック部７６Ｃは、幅方向に間隔を隔てて、たとえば６つ設けられている。
【００９０】
そして、補助板７６の裏面（下面）において幅方向両端の折曲部７６Ａに挟まれる領域には、下方へ突出する複数の突起８１が設けられている。これらの突起８１は、形状に応じて、第１突起８１Ａ、第２突起８１Ｂ（係止突起）、第３突起８１Ｃに区別される。第１突起８１Ａは、円柱形状であり、補助板７６の前後方向略中央において、幅方向に間隔を隔てて、たとえば６つ形成されている。第２突起８１Ｂは、第１突起８１Ａの前側において、幅方向にほぼ等しい間隔を隔てて、たとえば３つ形成されている。各第２突起８１Ｂは、前側下端部が湾曲している１対の平板状のリブと、これらのリブの後端の間に架設される矩形状のリブとによって一体的に形成されている（図２０（ｂ）参照）。第３突起８１Ｃは、下端部が斜め後側上方へ僅かに突出したフック形状であり（図２０（ｂ）参照）、第２突起８１Ｂの前側において、幅方向にほぼ等しい間隔を隔てて、たとえば４つ形成されている。
【００９１】
図２１は、第１フック部７６Ｂが折曲部７７Ｂに係合する様子を説明するための図である。図２２は、第１フック部７６Ｂの折曲部７７Ｂに対する係合が完了した直後の正面装飾パネル５の上部の背面図である。図２３は、全ての突起８１が対応する貫通穴８０に嵌った状態にある主面板７５の上湾曲部７７の底面図である。図２４において、（ａ）は、図２３のＡ−Ａ線に基づく断面図であり、（ｂ）は、図２３のＢ−Ｂ線に基づく断面図であり、（ｃ）は、図２３のＣ−Ｃ線に基づく断面図であり、（ｄ）は、図２３のＤ−Ｄ線に基づく断面図である。
【００９２】
補助板７６は、主面板７５の上湾曲部７７の後端部７７Ａに対して、後側から装着される（図２０（ｂ）の太線矢印参照）。このとき、まず、図２１に示すように、補助板７６の第１フック部７６Ｂが、後端部７７Ａにおいて対応する折曲部７７Ｂに係合する。ここで、上述したように、折曲部７７Ｂの後側下端縁が斜め後側上方へ傾斜しているので、第１フック部７６Ｂを折曲部７７Ｂに対して円滑に係合させることができる。
【００９３】
そして、各第１フック部７６Ｂが折曲部７７Ｂの前端に到達すると、第１フック部７６Ｂの折曲部７７Ｂに対する係合が完了する。これにより、補助板７６の幅方向へのずれが防止される。第１フック部７６Ｂの折曲部７７Ｂに対する係合が完了した直後においては、図２２に示すように、補助板７６の中央部が変形し、突起８１が後端部７７Ａの上側面から浮き上がったり、後端部７７Ａの上側面に載ったりしている。そこで、各突起８１を下側へ押し込み、対応する貫通穴８０に嵌め込む。
【００９４】
具体的には、図２３に示すように、第１突起８１Ａを第１貫通穴８０Ａに嵌め込み、第２突起８１Ｂを第２貫通穴８０Ｂに嵌め込み、第３突起８１Ｃを第３貫通穴８０Ｃに嵌め込む。
この状態では、図２４（ａ）に示すように、第１フック部７６Ｂが折曲部７７Ｂの前端に到達しており、また、第２フック部７６Ｃが後端部７７Ａの後端を上下方向から挟み込んでいる。また、図２４（ｂ）に示すように、第３突起８１Ｃが、後端部７７Ａにおいて第３貫通穴８０Ｃの後側周縁をなす部分に対して下側から係合している。また、図２４（ｃ）に示すように、第２突起８１Ｂが第２貫通穴８０Ｂに遊嵌され、後端部７７Ａよりも下方に突出している。そして、図２４（ｄ）に示すように、第１突起８１Ａが第１貫通穴８０Ａに遊嵌されている。この後、第１突起８１Ａが加熱されて潰されるので、補助板７６が主面板７５に熱溶着される。
【００９５】
このように、正面装飾パネル５は、主面板７５が、透明材で形成されているのに対し、突起８１が、主面板７５とは別体の不透明材で形成された補助板７６の裏面に形成されているので、突起８１が目立つことはなく、見映えの向上を図ることができる。また、ねじ等を用いなくても、補助板７６を、熱溶着によって主面板７５に確実に取り付けることができるので、製造コストの低下を図ることができる。また、正面装飾パネル５がメインフレーム４に対して比較的高い頻度で着脱されるので、補助板７６と主面板７５との接合部分には所定の強度が要求されるが、熱溶着を用いることにより、ねじ等を用いる場合に比べて、この接合部分を強固にすることができる。
【００９６】
図２５は、背面右上側から見た正面装飾パネル５の斜視図である。図２６は、下湾曲部７８周辺を抜き出して示した図であって、（ａ）は、正面図であり、（ｂ）は、背面図であり、（ｃ）は、(ｂ)のＡ−Ａ線に基づく断面図である。
図２５に示すように、各下湾曲部７８の裏面（背面）には、補強材８３が取り付けられている。補強材８３は、不透明の樹脂等で形成されており、その形状は、下湾曲部７８に沿う略Ｌ字の板状である。ここで、図２６（ｃ）に示すように、補強材８３の後側部分は、前後左右方向に略平坦に延びており、この部分の前後方向略中央には、ねじ穴８３Ａが形成されている。下湾曲部７８の後側部分において、ねじ穴８３Ａに下側から対向する部分には、貫通穴７８Ａが形成されている。ねじ８４が下側から貫通穴７８Ａを通ってねじ穴８３Ａに組み付けられ、これにより、補強材８３の後側部分が下湾曲部７８の後側部分に固定される。一方、図２６（ｂ）に示すように、下湾曲部７８の裏面（背面）の幅方向外側端部には、幅方向内側（図２６（ｂ）では左側）に突出する爪７８Ｂが設けられている。この爪７８Ｂは、不透明材で形成されているが、下湾曲部７８において、湾曲した部分の下側に配置されているので、図２６（ａ）に示すように下湾曲部７８を正面から見ても、爪７８Ｂは透けない。そして、図２６（ｃ）に示すように、爪７８Ｂが背面側から補強材８３に係合することによって、補強材８３は下湾曲部７８に引き寄せられる。このように、上述したねじ８４および爪７８Ｂによって、補強材８３は下湾曲部７８に固定される。また、図２６（ｂ）に示すように、下湾曲部７８の幅方向両端が上向きに折れ曲っており、これらの折れ曲り部分によって、補強材８３は、幅方向両側から挟持されている。そして、補強材８３の背面の上部には、幅方向外側へ向かって窪むリブ（係止用リブ８５）が設けられている。
【００９７】
このような補強材８３によって、下湾曲部７８の剛性を確保することができる。また、後述するように、係止用リブ８５によって、正面装飾パネル５を空気清浄機１において位置決めすることができる。
そして、補強材８３は、不透明材で形成されているが、主面板７５の下辺において裏面側へ湾曲した下湾曲部７８の裏側に取り付けられている。また、上述した係止用リブ８５が、下湾曲部７８でなく、補強材８３に設けられている。これらの結果、補強材８３および係止用リブ８５が目立つことはなく、見映えの向上を図ることができる。
【００９８】
図２７は、メインフレーム４に対する正面装飾パネル５の取り付けを説明するための、正面装飾パネル５およびメインフレーム４の上端部周辺の断面図である。図２８は、メインフレーム４に対する正面装飾パネル５の取り付けを説明するための、係止用リブ８５周辺における正面装飾パネル５およびメインフレーム４の断面図である。
以下には、メインフレーム４に対する正面装飾パネル５の取り付けについて説明する。まず、図１に示すように、メインフレーム４の上側壁には、３つの凹部８７が、幅方向に間隔を隔てて設けられている。また、メインフレーム４の前側面において、幅方向両端部の下端には、フック８６が設けられている。フック８６は、前側に突出しており、その前端部は幅方向外側へ僅かに折れ曲っている。
【００９９】
このようなメインフレーム４に対して正面装飾パネル５を取り付ける。詳しくは、まず、図２７に示すように、正面装飾パネル５の上湾曲部７７において第２貫通穴８０Ｂから下方に突出している第２突起８１Ｂを、メインフレーム４において対応する凹部８７に嵌め込む。これにより、正面装飾パネル５の上部がメインフレーム４に係止される。そして、第２突起８１Ｂを中心として、正面装飾パネル５をメインフレーム４側（後側）へ揺動させる。そして、図２８に示すように、メインフレーム４のフック８６が、正面装飾パネル５の下湾曲部７８において対応する係止用リブ８５に係合すると、メインフレーム４に対する正面装飾パネル５の取り付けが完了する。ここで、上述したように、爪７８Ｂによって補強材８３は下湾曲部７８に固定さているので、フック８６が係止用リブ８５に係合しても、係止用リブ８５を有する補強材８３がフック８６側へ引き寄せされることはない。また、図２５に示すように、正面装飾パネル５の下辺において幅方向両端の下湾曲部７８によって幅方向に囲まれた領域は、図２に示すフィルタ１１に連通しており、上述した吸気口１５と同様に、空気入口として機能する。
【０１００】
この発明は、以上説明した実施形態に限定されるものではなく、請求項記載の範囲内において種々の変更が可能である。
【図面の簡単な説明】
【０１０１】
【図１】正面右上側から見た空気清浄機１の斜視図であって、正面装飾パネル５を前側へずらして配置した状態を示す。
【図２】空気清浄機１のほぼ中央の縦断面図である。
【図３】図２のＡ−Ａ線に基づく断面図である。
【図４】図２のＢ−Ｂ線に基づく断面図である。
【図５】図２のＣ−Ｃ線に基づく断面図であって、（ａ）は、第１の形態を示し、（ｂ）は、第２の形態を示す。
【図６】ガイドリブ２４の形状であって、（ａ）は、図５（ａ）で示す第１の形態で用いられる形状を示し、（ｂ）は、図５（ｂ）で示す第２の形態で用いられる形状を示す。
【図７】正面右上側から見たフィルタ１１の分解斜視図であって、プレフィルタ１２およびフィルタホルダ１１Ａのみを示す。
【図８】プレフィルタ１２の正面図である。
【図９】プレフィルタ１２の成型を説明するための図であって、（ａ）は、本実施形態によるプレフィルタ１２を示し、（ｂ）は、比較例に係るプレフィルタ１２を示す。
【図１０】正面から見た電解水ミスト発生ユニット３０の縦断面図である。
【図１１】図１０のＡ−Ａ線に基づく断面図である。
【図１２】（ａ）は、図１０のＢ−Ｂ線に基づく断面図であり、（ｂ）は、図１２（ａ）のＡ−Ａ線に基づく断面図である。
【図１３】電解水ミスト発生ユニットの別の実施形態を示す図で、図１１に示す構成の変形を示す図である。
【図１４】電解水ミスト発生ユニットのさらに別の実施形態を示す図で、図１１に示す構成の変形を示す図である。
【図１５】図１４に示す実施形態であって、図１４と異なる部分の断面を示す図である。
【図１６】タンク３２のキャップ２９を示す図であって、（ａ）は、キャップ２９の円中心での縦断面図であり、（ｂ）は、キャップ２９の底面図である。
【図１７】図１６において仕切り２９Ｅを設けた図である。
【図１８】メインフレーム４の内パネル４Ｃにおいて人感センサ６０近傍部分を抜き出して示した図であって、（ａ）は、背面図であり、（ｂ）は、（ａ）の図示矢印Ａ側から見た側面図であり、（ｃ）は、（ａ）のＢ−Ｂ線に基づく断面図であり、（ｄ）は、（ｂ）に比較例を適用した図である。
【図１９】人感センサ６０周辺を示した図であって、（ａ）は、正面図であり、（ｂ）は、（ａ）のＡ−Ａ線に基づく断面図であり、（ｃ）は、リング状レンズ６１の背面図である。
【図２０】背面右下側から見た正面装飾パネル５の斜視図であって、（ａ）は、正面装飾パネル５全体を示し、（ｂ）は、正面装飾パネル５の上側左端部を拡大して示している。
【図２１】第１フック部７６Ｂが折曲部７７Ｂに係合する様子を説明するための図である。
【図２２】第１フック部７６Ｂの折曲部７７Ｂに対する係合が完了した直後の正面装飾パネル５の上部の背面図である。
【図２３】全ての突起８１が対応する貫通穴８０に嵌った状態にある主面板７５の上湾曲部７７の底面図である。
【図２４】（ａ）は、図２３のＡ−Ａ線に基づく断面図であり、（ｂ）は、図２３のＢ−Ｂ線に基づく断面図であり、（ｃ）は、図２３のＣ−Ｃ線に基づく断面図であり、（ｄ）は、図２３のＤ−Ｄ線に基づく断面図である。
【図２５】背面右上側から見た正面装飾パネル５の斜視図である。
【図２６】下湾曲部７８周辺を抜き出して示した図であって、（ａ）は、正面図であり、（ｂ）は、背面図であり、（ｃ）は、(ｂ)のＡ−Ａ線に基づく断面図である。
【図２７】メインフレーム４に対する正面装飾パネル５の取り付けを説明するための、正面装飾パネル５およびメインフレーム４の上端部周辺の断面図である。
【図２８】メインフレーム４に対する正面装飾パネル５の取り付けを説明するための、係止用リブ８５周辺における正面装飾パネル５およびメインフレーム４の断面図である。
【符号の説明】
【０１０２】
１      空気清浄機
２８    タンク本体
２９    キャップ
２９Ｅ  仕切り
３０    電解水ミスト発生ユニット
３２    タンク
３４Ａ  突出ピン
３５Ａ  水給水口
３６    落下通路
３７    タンク開口
３８    開閉機構
３９    所定水位
４０    電解室
４１    電極板
４２    第１部
４２Ｂ  一端開口
４２Ｃ  他端開口
４３Ａ  金属板
４５Ａ  ミスト出口
４６    振動付与室
４７    ミスト漂流室
４９    貯水室
５０    超音波振動子
５４    ミスト誘導路
５４Ｂ  絞りリブ
５５    ミスト放散口
５７    通気口
５８    空気補助流路
【図１】
2009058160.tif 000003
【図２】
2009058160.tif 000004
【図３】
2009058160.tif 000005
【図４】
2009058160.tif 000006
【図５】
2009058160.tif 000007
【図６】
2009058160.tif 000008
【図７】
2009058160.tif 000009
【図８】
2009058160.tif 000010
【図９】
2009058160.tif 000011
【図１０】
2009058160.tif 000012
【図１１】
2009058160.tif 000013
【図１２】
2009058160.tif 000014
【図１３】
2009058160.tif 000015
【図１４】
2009058160.tif 000016
【図１５】
2009058160.tif 000017
【図１６】
2009058160.tif 000018
【図１７】
2009058160.tif 000019
【図１８】
2009058160.tif 000020
【図１９】
2009058160.tif 000021
【図２０】
2009058160.tif 000022
【図２１】
2009058160.tif 000023
【図２２】
2009058160.tif 000024
【図２３】
2009058160.tif 000025
【図２４】
2009058160.tif 000026
【図２５】
2009058160.tif 000027
【図２６】
2009058160.tif 000028
【図２７】
2009058160.tif 000029
【図２８】
2009058160.tif 000030